(57)【要約】【課題】  着信メロディを再生する音源モジュールと、着信メロディを再生するための着信メロディデータや、電話番号帳、アドレス帳、スケジュール帳等の個人情報データが格納されるデータベースとを引継いで交換できる携帯情報端末を提供する。【解決手段】  携帯電話機本体１は小型機器２と近距離無線通信を行い、着信メロディまたは個人情報データ関連の命令またはデータを送受信する。近距離無線通信部１０８は、ダウンロードした着信メロディデータまたは個人情報データを音源モジュール２３へ送信する。音源モジュール２３は受信した着信メロディデータまたは個人情報データをメモリモジュール２２に書き込む。また、音源モジュール２３は受信した命令に基づいて、メモリモジュール２２から着信メロディデータを読み出して生成した楽音信号またはメモリモジュール２２内の個人情報データを近距離無線通信部１０８へ送信する。【選択図】        図１
2005252356.tif 000002
【特許請求の範囲】
【請求項１】
データ処理を行う本体と、前記本体と別体で構成され、前記本体と有線または無線によって接続された小型機器とからなる携帯情報端末であって、
前記本体が、
楽音発生を指示する指示データを出力する第１の制御手段と、
楽音信号に基づいて楽音を発生する楽音発生部と、
前記第１の制御手段から出力された指示データを前記小型機器へ送信し、前記小型機器から受けた前記楽音信号を前記楽音発生部へ出力する第１の通信部とを有し、
前記小型機器が、
前記本体から前記指示データを受けて、楽音信号を生成する楽音信号生成部と、
前記本体から受けた前記指示データを前記楽音信号生成部へ出力し、前記楽音信号生成部から受けた楽音信号を前記本体へ出力する第２の通信部とを有することを特徴とする携帯情報端末。
【請求項２】
前記小型機器が、
楽音データを記憶する記憶手段と、
前記記憶手段内の楽音データを読み出し前記楽音信号生成部へ出力する第２の制御手段とを備え、
前記楽音信号生成部が前記記憶手段から読み出された楽音データに基づいて楽音信号を生成することを特徴とする請求項１に記載の携帯情報端末。
【請求項３】
前記小型機器の記憶手段が、特定のデータを記憶しており、前記第２の制御手段が前記本体からの指示を受けて前記記憶手段から前記特定のデータを読み出し、前記第２の通信部を介して前記本体へ出力することを特徴とする請求項２に記載の携帯情報端末。
【請求項４】
前記本体から前記第１の通信部を介して前記小型機器へ前記特定のデータが出力されると、前記第２の制御手段が、前記記憶手段へ前記特定のデータを書き込むことを特徴とする請求項２または請求項３のいずれかの項に記載の携帯情報端末。
【請求項５】
前記小型機器が、前記楽音信号生成部および前記記憶手段を脱着可能に装着する装着手段を備えたことを特徴とする請求項２ないし請求項４のいずれかの項に記載の携帯情報端末。
【請求項６】
前記第１の通信部および第２の通信部が、近距離無線通信手段であることを特徴とする請求項１ないし請求項５のいずれかの項に記載の携帯情報端末。
【請求項７】
前記本体は、基地局を介して公衆回線網の電話機と無線通話を行う通話手段を備え、前記第１の制御手段は前記電話機から着信があった時前記小型機器へ指示データを出力することを特徴とする請求項１ないし請求項６のいずれかの項に記載の携帯情報端末。
【発明の詳細な説明】
【技術分野】
【０００１】
本発明は、携帯電話を一例とする携帯情報端末に係り、特に呼び出し音等の変更を簡単に行える携帯情報端末に関する。
【背景技術】
【０００２】
現在、携帯情報端末の一例である携帯電話機において、以下に示す機能が搭載され、利便性が高められている。すなわち、様々な着信メロディを再生する音源モジュールや、着信メロディを再生するための着信メロディデータに加えて電話番号帳、アドレス帳、スケジュール帳といった個人情報データを格納するデータベースや、該データベースを参照して電話をかけたり電子メールを送信したりする操作を簡略化する個人情報参照機能が搭載され、携帯電話機の操作の快適化が図られている。そして、これらの機能およびデータベースが、殆どの場合、携帯電話機本体に搭載されている。
【０００３】
しかしながら、上述した携帯電話機については下記のような不都合な点がある。すなわち、現在の携帯電話機は、回線への加入を喚起したり、電話機の買換え需要を狙うために、電話機自体の価格を極端に下げたり、無料にすることが行われているので、携帯電話機を交換することがかなり増えている。その際に、着信メロディを再生する音源モジュールの種類が変わり、今まで使用していた着信メロディデータを新しい携帯電話機に入れ直したとしても使用できなくなる場合があるという問題があった。
【０００４】
また、データベースを交換前の携帯電話機から交換後の携帯電話機に入れ替えなくてはならないという問題があり、また、機種毎にデータベースのフォーマットが異なり、データの移動がやり難いという問題もあった。また、上記の着信メロディ再生機能のみをアップグレードする場合においても、携帯電話機そのものを交換しなくてはならないという問題もあった。
【０００５】
尚、特許文献１には、異なる通信方式を採用している通信キャリアのネットワークにおいても携帯電話を使用できるように、無線通信手段を別モジュールにして本体と分離できるようにした携帯電話機が記載されている。しかし、これは、音源モジュールを本体から分離したものではないため、携帯電話機本体を交換することなく、楽曲再生機能をアップグレードすることはできない。
【特許文献１】特開２００１−１０２９５１号公報
【発明の開示】
【発明が解決しようとする課題】
【０００６】
本発明は、上記事情を考慮してなされたもので、その目的は、着信メロディを再生する音源モジュールと、着信メロディを再生するための着信メロディデータや、電話番号帳、アドレス帳、スケジュール帳等の個人情報データが格納されるデータベースとを引継いで交換できる携帯情報端末を提供することにある。また、本発明の他の目的は、上記の着信メロディ再生機能のみをアップグレードする場合においても、それ自体を交換せずに容易にアップグレードを実施することができる携帯情報端末を提供することにある。
【課題を解決するための手段】
【０００７】
上記目的を達成するために、この発明では、以下の手段を提案している。
請求項１に係る発明は、データ処理を行う本体と、前記本体と別体で構成され、前記本体と有線または無線によって接続された小型機器とからなる携帯情報端末であって、前記本体が、楽音発生を指示する指示データを出力する第１の制御手段と、楽音信号に基づいて楽音を発生する楽音発生部と、前記第１の制御手段から出力された指示データを前記小型機器へ送信し、前記小型機器から受けた前記楽音信号を前記楽音発生部へ出力する第１の通信部とを有し、前記小型機器が、前記本体から前記指示データを受けて、楽音信号を生成する楽音信号生成部と、前記本体から受けた前記指示データを前記楽音信号生成部へ出力し、前記楽音信号生成部から受けた楽音信号を前記本体へ出力する第２の通信部とを有することを特徴とする。
この発明によれば、本体および本体から楽音信号生成部を分離させた小型機器が通信を行って楽音信号を発生させるため、楽音信号生成部を容易に変更することが可能になる。
【０００８】
請求項２に係る発明は、請求項１に記載の携帯情報端末であって、前記小型機器が、楽音データを記憶する記憶手段と、前記記憶手段内の楽音データを読み出し前記楽音信号生成部へ出力する第２の制御手段とを備え、前記楽音信号生成部が前記記憶手段から読み出された楽音データに基づいて楽音信号を生成することを特徴とする。
この発明によれば、小型機器が、楽音信号を生成するのに使用する楽音データを格納するメモリモジュールを有する構成としたため、携帯情報端末の本体を交換しても従来使用していた楽音データが使用でき、また、携帯情報端末の本体のＲＡＭを、ＣＰＵの作業領域等の最小限の容量にて構成することが可能になる。
【０００９】
請求項３に係る発明は、請求項２に記載の携帯情報端末であって、前記小型機器の記憶手段が、特定のデータを記憶しており、前記第２の制御手段が前記本体からの指示を受けて前記記憶手段から前記特定のデータを読み出し、前記第２の通信部を介して前記本体へ出力することを特徴とする。
この発明によれば、楽音データを格納するメモリモジュールの空き領域に例えば個人情報データといった他のデータをも格納する構成としたため、楽音データおよび個人情報データを一括して管理することができ、携帯情報端末の本体を交換しても従来使用していた個人情報データを使用することが可能になる。
【００１０】
請求項４に係る発明は、請求項２または請求項３のいずれかの項に記載の携帯情報端末であって、前記本体から前記第１の通信部を介して前記小型機器へ前記特定のデータが出力されると、前記第２の制御手段が、前記記憶手段へ前記特定のデータを書き込むことを特徴とする。
この発明によれば、携帯情報端末が、例えば、外部との通信によりダウンロードした楽音データ、または、本体においてキーの操作によって作成された個人情報データを小型機器の記憶手段に格納することが可能になる。
【００１１】
請求項５に係る発明は、請求項２ないし請求項４のいずれかの項に記載の携帯情報端末であって、前記小型機器が、前記楽音信号生成部および前記記憶手段を脱着可能に装着する装着手段を備えたことを特徴とする。
この発明によれば、楽音信号生成部および記憶手段を容易に交換できるので、楽音信号生成部のアップグレードが容易になり、また、複数の楽音データや、特に、複数の個人情報データを一つの本体にて共用することが可能になる。
【００１２】
請求項６に係る発明は、請求項１ないし請求項５のいずれかの項に記載の携帯情報端末であって、前記第１の通信部および第２の通信部が、近距離無線通信手段であることを特徴とする。
この発明によれば、小型機器に格納したい楽音データまたは個人情報データを、本体からのみならず、近距離無線通信手段と接続されたパソコン等から上記データを入力することが可能になる。
【００１３】
請求項７に係る発明は、請求項１ないし請求項６のいずれかの項に記載の携帯情報端末であって、前記本体は、基地局を介して公衆回線網の電話機と無線通話を行う通話手段を備え、前記第１の制御手段は前記電話機から着信があった時前記小型機器へ指示データを出力することを特徴とする。
この発明によれば、携帯情報端末の一例であり、着信メロディや電話帳等、楽音データや個人情報データの変更の機会の多い、携帯電話機においても、上記データを変更する際にも、本体自体を交換することなく対応することが可能になる。
【発明の効果】
【００１４】
請求項１に係る発明によれば、楽音信号生成部を交換することにより、本体を変更することなく、例えば、楽音信号生成部の音源形式（ＦＭ音源、ウェーブテーブル音源等）を変更して、楽音信号生成部のアップデートをすることができる。
また、請求項２に係る発明によれば、携帯情報端末交換時に従来使用していた楽音データを引き継げることにより、新たに楽音データを購入する必要がなくなり、且つ、本体のＲＡＭを小容量にすることと併せて、携帯情報端末交換時においてコストダウンを図ることができる。
また、請求項３に係る発明によれば、個人情報データを楽音データと同一の記憶手段によって管理するため、記憶手段の増設を回避でき、且つ、携帯情報端末交換時には、個人情報データについても、楽音データと同様の効果を得ることができる。
また、請求項４に係る発明によれば、楽音データおよび個人情報データの取り込みまたは更新を可能にし、本体と小型機器とに分離した携帯情報端末においても、両者を分離する前の携帯情報端末と変わらぬ機能を実現することができる。
また、請求項５に係る発明によれば、楽音信号生成部のアップグレードが容易になり、また、複数の各種データを使い分けることが可能になる。
また、請求項６に係る発明によれば、携帯情報端末よりキー操作の自由度が高く、諸々のデータベースとして活用されるパソコン等から、携帯情報端末が楽音データおよび個人情報データを取り込んで使用することができる。
また、請求項７に係る発明によれば、携帯電話機においても、本体自体を交換することなく、安価にて機能を変更することができる。
【発明を実施するための最良の形態】
【００１５】
以下、図面を参照し、この発明の一実施形態について説明する。
図１は、同実施形態による、携帯電話機の構成を示すブロック図であり、図２は、同実施形態における携帯電話機の実際の使用状態を示す概念図である。携帯電話機は、携帯電話機本体１（本体）と、小型機器２とから構成される。同実施形態による携帯電話機において、小型機器２は、携帯電話機本体１から、従来における、音源モジュールおよびデータベースが分離された構造になっている。携帯電話機本体１は、小型機器２と、例えば、Bluetooth（登録商標）といった近距離無線通信手段によってデータの交信を行い、携帯電話機としての機能を実現する。なお、小型機器２を携帯電話機本体１のストラップに取り付けることにより、携帯電話機として、持ち運びが楽になり、双方の無線通信を確実に行える。
【００１６】
次に、図１において、携帯電話機本体１は、ＣＰＵ（Central Processing Unit）１０１（第１の制御手段）と、ＲＯＭ１０２（第１の制御手段）と、ＲＡＭ１０３（第１の制御手段）と、通信部１０４（通話手段）と、入力部１０５（第１の制御手段）と、表示部１０６（第１の制御手段）と、音声処理部１０７（通話手段）、と、近距離無線通信部１０８（第１の通信部）と、Ｄ／Ａコンバータ１０９（楽音発生部）と、着信音用スピーカ１１０（楽音発生部）とから構成される。これらは、バスライン１２０を介して相互に接続されている。
【００１７】
ＣＰＵ１０１は、電話機能プログラム及びその他のプログラムを実行することにより携帯電話機本体１の各部を制御する。ＲＯＭ１０２は、ＣＰＵ１０１が実行する送信時や着信時における各種電話機能プログラムや制御プログラム、その他の各種の固定データを格納している。ＲＡＭ１０３には、ＣＰＵ１０１の動作中に使用するデータ等を一時的に記憶するワークエリア等が設定される。通信部１０４は、アンテナ１１によって受信された信号の復調を行うと共に、送信する信号を変調してアンテナ１１から送信する。
【００１８】
入力部１０５は、電話を受ける時に使用する開始キー、電話を終了する時に使用する終了キー、数値キーおよび、＃キー、＊キー等のコードキーからなるテンキーと、各種の機能を設定する際に使用されるＦ（機能）キー、電源のオン、オフを指示する電源キー、各種設定を解除するためのクリアキー等を有している。表示部１０６は、電子メールを送信する際に作成された文章の文字情報、各種メニューの内容等を含む各種データ、さらにはその詳細な内容等が表示されるようになっている。
【００１９】
音声処理部１０７は、符号化手段としての符号化部（ＣＯＤＥＲ）と、復号化手段としての復号化部（ＤＥＣＯＤＥＲ）とを含んで構成され、通信部１０４で復調された音声信号を復号し、受話用スピーカＳＰＲに出力すると共に、マイクＭＩＴから入力された送話用の音声信号を圧縮符号化し、通信部１０４に出力する。
【００２０】
近距離無線通信部１０８は、近距離無線通信手段、本実施形態においてはBluetooth（登録商標）によって小型機器２とデータの交信を行う。近距離無線通信部１０８は、ＣＰＵ１０１からコマンドを入力されて、小型機器２へ該コマンドを送信する。また、そのコマンドに基づいて、個人情報データ、または、後述するように小型機器２において生成されたディジタル楽音信号を小型機器２から受信して、該データをコントロールバス１２０に出力する。Ｄ／Ａコンバータ１０９は、コントロールバス１２０から入力されたディジタル楽音信号をＤ／Ａ変換して、アナログ楽音信号に変換し、図示しないアンプを介して、着信音用スピーカ１１０へ出力する。
【００２１】
図３は、同実施形態による小型機器２の外観を示す図である。この図において、小型機器２は、筐体２１（装着手段）と、メモリモジュール２２（記憶手段）と、音源モジュール２３（楽音信号生成部）とから構成される。メモリモジュール２２および音源モジュール２３は、筐体２１に設けられたスロットに交換可能に挿入される。メモリモジュール２２は、着信メロディデータおよび個人情報データを記憶している。
【００２２】
図４は、同実施形態による、音源モジュール２３の構成を示すブロック図である。この図において、音源モジュール２３は、近距離無線通信部２３１（第２の通信部、第２の制御手段）と、制御用マイコン２３２（第２の制御手段）と、シーケンサ部２３３と、着信メロディデータバッファ２３４と、ＰＣＭデータ発生部２３５と、ＰＣＭデータバッファ２３６とから構成される。
【００２３】
近距離無線通信部２３１は、アンテナ２４を介して、近距離無線通信手段によって携帯電話機本体１内の近距離無線通信部１０８とデータの交信を行う。近距離無線通信部２３１は、近距離無線通信部１０８から着信メロディを再生するためのコマンドを受信した場合、制御用マイコン２３２に出力し、メモリモジュール２２にデータを書き込むためのコマンドを受信した場合、メモリモジュール２２にデータを書き込む。また、個人情報データを読み出すコマンドを受信した場合は、メモリモジュール２２から当該データを読み出し、近距離無線通信部１０８へ出力する。
【００２４】
シーケンサ部２３３は制御用マイコン２３２の指示の下に、メモリモジュール２２から着信メロディデータバッファ２３４を介して着信メロディデータを読み込み、シーケンスデータである該着信メロディデータを解釈し、音源を制御するためのパラメータを生成し、ＰＣＭデータ発生部２３５に順次出力する。ＰＣＭデータ発生部２３５は、ＦＭ音源であり、該パラメータに基づいて、内部に有している基準となる波形に周波数変調を施すことによりディジタル楽音信号を生成し、ＰＣＭデータバッファ２３６を介して、近距離無線通信部２３１へ出力する。
【００２５】
次に、本実施形態による携帯電話機の動作を図５〜図８に示すフローチャートを参照して説明する。
ユーザは、この携帯電話機の使用を開始するために、携帯電話機本体１と、小型機器２とのそれぞれの電源を投入して、近距離無線通信手段を介して相互に通信可能な状態にさせる。上記の各装置が通信可能な状態になり、以下、携帯電話機の動作が開始する。
【００２６】
先ず、本実施形態による携帯電話機の個人情報参照機能の動作を説明する。
図５は、個人情報参照機能の動作を示すフローチャートである。携帯電話機本体１において、ユーザが、表示部１０６の表示を見ながら、入力部１０５のキーを操作して、個人情報参照機能のカーソルを選択すると、ＣＰＵ１０１は、近距離無線通信部１０８を介して、小型機器２へ目次テーブルデータ要求コマンドを送信する（ステップＳａ１）。ＣＰＵ１０１は、小型機器２から目次テーブルデータが送信されるのを待つ。
【００２７】
一方、小型機器２において、近距離無線通信部２３１は携帯電話機本体１から目次テーブルデータ要求コマンドを受信すると、メモリモジュール２２から個人情報データを読み出して、目次テーブルデータを生成し（ステップＳｂ１）、該データを携帯電話機本体１へ送信する（ステップＳｂ２）。
【００２８】
そして、携帯電話機本体１において、ＣＰＵ１０１は、近距離無線通信部１０８を介して目次テーブルデータを受信すると、表示部１０６に目次テーブル（例えば、個人情報データの中の個人の氏名の一覧）を表示する（ステップＳａ２）。次に、ユーザは表示された目次テーブルの中から、検索対象項目（個人の氏名）を入力部１０５によって選択する（ステップＳａ３）。そして、ＣＰＵ１０１は、近距離無線通信部１０８を介して、小型機器２へユーザによって選択された検索対象項目のデータを要求する、検索対象項目データ要求コマンドを送信する（ステップＳａ４）。ＣＰＵ１０１は、小型機器２から検索対象項目データが送信されるのを待つ。
【００２９】
一方、小型機器２において、近距離無線通信部２３１は携帯電話機本体１から検索対象項目データ要求コマンドを受信すると、メモリモジュール２２から検索対象項目データを読み出して（ステップＳｂ３）、該データを携帯電話機本体１へ送信する（ステップＳｂ４）。
【００３０】
そして、携帯電話機本体１において、ＣＰＵ１０１は、近距離無線通信部１０８を介して検索対象項目データを受信すると、表示部１０６に該データ（電話番号等）を表示する（ステップＳａ５）。
【００３１】
次に、本実施形態による携帯電話機の個人情報登録機能の動作を説明する。
図６は、個人情報登録機能の動作を示すフローチャートである。携帯電話機本体１において、ユーザが、表示部１０６の表示を見ながら、入力部１０５のキーを操作して、個人情報登録機能のカーソルを選択すると、ＣＰＵ１０１は、表示部１０６に個人情報の入力画面を表示する。ユーザは、入力部１０５のキーを操作して、個人情報データの入力を行う（ステップＳｃ１）。次に、メモリモジュール２２に書き込まれるデータベースのフォーマットに合わせてデータを成型する（ステップＳｃ２）。次に、近距離無線通信部１０８を介して、小型機器２へデータ送信要求コマンドを送信する（ステップＳｃ３）。ＣＰＵ１０１は、小型機器２からデータ送信許可信号が送信されるのを待つ。
【００３２】
一方、小型機器２において、近距離無線通信部２３１は携帯電話機本体１からデータ送信要求コマンドを受信し（ステップＳｄ１）、近距離無線通信部２３１がデータを受け付けられる状態である場合、データ送信許可信号を携帯電話機本体１へ送信する（ステップＳｄ２）。
【００３３】
そして、携帯電話機本体１において、ＣＰＵ１０１は、ステップＳｃ４にて近距離無線通信部１０８を介してデータ送信許可信号を受信すると、小型機器２へ個人情報データを送信する（ステップＳｃ５）。
【００３４】
そして、小型機器２において、近距離無線通信部２３１は携帯電話機本体１から個人情報データを受信する（ステップＳｄ３）。次に、メモリモジュール２２に当該データを書き込み、データベースを更新する（ステップＳｄ４）。
【００３５】
次に、本実施形態による携帯電話機の着信メロディデータのダウンロード機能の動作を説明する。
図７は、着信メロディデータのダウンロード機能の動作を示すフローチャートである。携帯電話機本体１において、ユーザが、表示部１０６の表示を見ながら、入力部１０５のキーを操作して、携帯電話回線を介して、ダウンロードサイトから着信メロディデータのダウンロードを行う（ステップＳｅ１）。次に、近距離無線通信部１０８を介して、小型機器２へデータ送信要求コマンドを送信する（ステップＳｅ２）。ＣＰＵ１０１は、小型機器２からデータ送信許可信号が送信されるのを待つ。
【００３６】
一方、小型機器２において、近距離無線通信部２３１は携帯電話機本体１からデータ送信要求コマンドを受信し（ステップＳｆ１）、近距離無線通信部２３１がデータを受け付けられる状態である場合、データ送信許可信号を携帯電話機本体１へ送信する（ステップＳｆ２）。
【００３７】
そして、携帯電話機本体１において、ＣＰＵ１０１は、ステップＳｅ３にて近距離無線通信部１０８を介してデータ送信許可信号を受信すると、小型機器２へ着信メロディデータを送信する（ステップＳｅ４）。
【００３８】
そして、小型機器２において、近距離無線通信部２３１は携帯電話機本体１から着信メロディデータを受信する（ステップＳｆ３）。次に、メモリモジュール２２に当該データを書き込み、データベースを更新する（ステップＳｆ４）。
【００３９】
次に、本実施形態による携帯電話機において、ユーザが着信メロディを選択して再生する場合の動作を説明する。
図８は、その動作を示すフローチャートである。携帯電話機本体１において、ユーザが、表示部１０６の表示を見ながら、入力部１０５のキーを操作して、着信メロディ再生機能のカーソルを選択すると、ＣＰＵ１０１は、近距離無線通信部１０８を介して、小型機器２へ着信メロディデータリスト要求コマンドを送信する（ステップＳｇ１）。ＣＰＵ１０１は、小型機器２から着信メロディデータリストが送信されるのを待つ。
【００４０】
一方、小型機器２において、近距離無線通信部２３１は携帯電話機本体１から着信メロディデータリスト要求コマンドを受信すると、制御用マイコン２３２に出力する。制御用マイコン２３２は、メモリモジュール２２から着信メロディデータを読み出して着信メロディデータリストを作成し（ステップＳｈ１）、近距離無線通信部２３１を介して、該データを携帯電話機本体１へ送信する（ステップＳｈ２）。
【００４１】
そして、携帯電話機本体１において、ＣＰＵ１０１は、ステップＳｇ２にて近距離無線通信部１０８を介して着信メロディデータリストを受信すると、表示部１０６に着信メロディの一覧を表示する。次に、ユーザは表示された着信メロディの一覧の中から、音を再生したい着信メロディを入力部１０５によって選択する（ステップＳｇ３）。そして、ＣＰＵ１０１は、近距離無線通信部１０８を介して、小型機器２へ再生する着信メロディの選択をしたことを示す再生着信メロディ選択通知コマンドを送信する。（ステップＳｇ４）。ＣＰＵ１０１は、小型機器２から再生準備完了通知信号が送信されるのを待つ（ステップＳｇ５）。
【００４２】
一方、小型機器２において、近距離無線通信部２３１は携帯電話機本体１から再生データ選択通知コマンドを受信すると（ステップＳｈ３）、再生準備完了通知信号を携帯電話機本体１へ送信する（ステップＳｈ４）。
【００４３】
そして、携帯電話機本体１において、ＣＰＵ１０１は、ステップＳｇ５にて近距離無線通信部１０８を介して再生準備完了通知信号を受信すると、小型機器２へＰＣＭデータ要求コマンドを近距離無線通信部１０８を介して送信する（ステップＳｇ６）。ＣＰＵ１０１は、小型機器２からＰＣＭデータが送信されるのを待つ。
【００４４】
一方、小型機器２において、近距離無線通信部２３１は携帯電話機本体１からＰＣＭデータ要求コマンドを受信すると（ステップＳｈ５）、制御用マイコン２３２に該コマンドを出力する。制御用マイコン２３２は、シーケンサ部２３３に、メモリモジュール２２から着信メロディデータを読み出し該データに基づくＰＣＭデータの生成を指示する。ＰＣＭデータ発生部２３５はシーケンサ部２３３から出力されたパラメータに基づいてＰＣＭデータを生成する(ステップＳｈ６)。生成されたＰＣＭデータが近距離無線通信部２３１に出力される。近距離無線通信部２３１は該ＰＣＭデータを携帯電話機本体１へ送信する（ステップＳｈ７）。
【００４５】
そして、携帯電話機本体１において、ＣＰＵ１０１は、ステップＳｇ５にて近距離無線通信部１０８を介してＰＣＭデータを受信すると、Ｄ／Ａコンバータ１０９がアナログ楽音信号に変換し（ステップＳｇ８）、着信音用スピーカ１１０に出力する（ステップＳｇ９）。
尚、携帯電話機本体１に基地局を介して公衆回線網の電話機から着信があった場合、ＣＰＵ１０１は小型機器２へ着信時に再生するメロディとして予め設定されているメロディのＰＣＭデータを要求する指示データを出力する。以後、図８のフローチャートのステップＳｈ５以降の動作を実施することにより、着信メロディが再生される。
【００４６】
以上のように、上記実施形態によれば、音源モジュール２３およびメモリモジュール２２を携帯電話機本体１から分離して小型機器２に装着して、交換の容易化を図った構成としつつ、従来の携帯電話機と同等の機能を実現することができる。
【００４７】
尚、小型機器２への、例えば個人情報データの転送を、携帯電話機本体１を用いずに、近距離無線通信手段による通信機能を備えたパソコンで行ってもよい。
【００４８】
また、携帯電話機本体１と小型機器２との通信は、Bluetooth（登録商標）等の近距離無線通信手段に限らず、あらゆる無線通信手段を用いてもよい。また、携帯電話機本体１と小型機器２とをケーブルにて結線して有線通信手段を用いてもよい。
【００４９】
また、ＰＣＭデータ発生部２３５については、本実施例においては、ＦＭ音源を想定したが、ウエーブテーブル音源を用いてもよいし、ＭＰ３等の圧縮された音声データを再生する音源であってもよい。
【００５０】
また、小型機器２から着信メロディデータを受信できなかったときのために、その代わりの着信メロディを再生するための着信メロディデータをＲＯＭ１０２に格納するようにしてもよい。
【００５１】
尚、本実施形態においては、携帯情報端末の一例として携帯電話機を想定したが、応用はこれに限定されない。例えば、音源デバイスを搭載し、生成する音を変更する機会のある携帯情報端末に応用できる。
【００５２】
以上、本発明の実施形態について図面を参照して詳述したが、具体的な構成はこの実施形態に限られるものではなく、本発明の要旨を逸脱しない範囲での設計変更も含まれる。
【図面の簡単な説明】
【００５３】
【図１】本発明の一実施形態の携帯電話機本体１および小型機器２の電気的構成を示すブロック図である。
【図２】同実施形態の携帯電話機本体１および小型機器２の実際の使用状態を示す図である。
【図３】同実施形態の小型機器２の外観を示す図である。
【図４】同実施形態の小型機器２の電気的構成を示すブロック図である。
【図５】同実施形態において携帯電話機本体１からメモリモジュール２２内の電話番号、アドレス、スケジュールのデータを検索する処理を示すフローチャートである。
【図６】同実施形態において携帯電話機本体１からメモリモジュール２２内に電話番号、アドレス、スケジュールのデータを登録する処理を示すフローチャートである。
【図７】同実施形態において携帯電話機本体１で着信メロディデータをダウンロードし、メモリモジュール２２に書き込む処理を示すフローチャートである。
【図８】同実施形態において携帯電話機本体１がメモリモジュール２２内の着信メロディデータを読み出し、再生する処理を示すフローチャートである。
【符号の説明】
【００５４】
１・・・携帯電話機本体（本体）、２・・・小型機器、１１・・・アンテナ、２１・・・筐体（装着手段）、２２・・・メモリモジュール（記憶手段）、２３・・・音源モジュール（楽音信号生成部）、２４・・・アンテナ、１０１・・・ＣＰＵ（第１の制御手段）、１０２・・・ＲＯＭ（第１の制御手段）、１０３・・・ＲＡＭ（第１の制御手段）、１０４・・・通信部（通話手段）、１０５・・・入力部（第１の制御手段）、１０６・・・表示部（第１の制御手段）、１０７・・・音声処理部（通話手段）、１０８・・・近距離無線通信部（第１の通信部）、１０９・・・Ｄ／Ａコンバータ（楽音発生部）、１１０・・・着信音用スピーカ（楽音発生部）、２３１・・・近距離無線通信部（第２の通信部、第２の制御手段）、２３２・・・制御用マイコン（第２の制御手段）、２３３・・・シーケンサ部、２３４・・・着信メロディデータバッファ、２３５・・・ＰＣＭデータ発生部、２３６・・・ＰＣＭデータバッファ
【図１】
2005252356.tif 000003
【図２】
2005252356.tif 000004
【図３】
2005252356.tif 000005
【図４】
2005252356.tif 000006
【図５】
2005252356.tif 000007
【図６】
2005252356.tif 000008
【図７】
2005252356.tif 000009
【図８】
2005252356.tif 000010